(57)【要約】【課題】本発明は、車載照明装置の光源から発せられる光の減衰を抑制しつつ、意匠性を高めることを目的とする。【解決手段】車載照明装置は、容器形状を有する小物入れ部１２と、小物入れ部１２を収容する外部ケース１０と、閉・回転位置と開・回転位置との間を回転自在となるように、小物入れ部１２を外部ケース１０内に支持する回転機構と、小物入れ部１２に設けられた発光ダイオード２０Ｌおよび２０Ｒと、小物入れ部１２の回転位置に応じて、各発光ダイオードに供給される電力をオンオフする光源スイッチユニット３０と、小物入れ部１２の前面に設けられた導光板１６とを備えている。閉・回転位置では、小物入れ部１２の開口に外部ケース１０が覆い被さる。開・回転位置では、小物入れ部１２が外部ケース１０から引き出され、小物入れ部１２の開口の少なくとも一部が外部ケース１０の外側に現れる。各発光ダイオードは導光板１６の縁から光を入射する。【選択図】図３
2020093648.tif 000002
【特許請求の範囲】
【請求項１】
容器形状を有する小物入れ部と、
前記小物入れ部を回転自在に収容する外部ケースと、
前記小物入れ部の開口に前記外部ケースが覆い被さる閉・回転位置と、前記小物入れ部が前記外部ケースから引き出され、前記小物入れ部の開口の少なくとも一部が前記外部ケースの外側に現れる開・回転位置との間を回転自在となるように、前記小物入れ部を前記外部ケース内に支持する回転機構と、
前記小物入れ部に設けられた光源と、
前記小物入れ部の回転位置に応じて、前記光源に供給される電力をオンオフする光源スイッチユニットと、
前記小物入れ部に設けられ、前記小物入れ部が前記閉・回転位置にあるときに、前記外部ケースの開口面に板面が揃えられる導光板と、を備え、
前記光源は、前記導光板の縁から光を入射する位置に設けられていることを特徴とする車載照明装置。
【請求項２】
請求項１に記載の車載照明装置において、
前記光源スイッチユニットは、前記小物入れ部の回転と共に、前記外部ケースの一部分によって押下または解放されるプッシュスイッチを備えることを特徴とする車載照明装置。
【発明の詳細な説明】
【技術分野】
【０００１】
本発明は、車載照明装置に関し、特に、小物入れ部を有する車載照明装置に関する。
【背景技術】
【０００２】
自動車の車室の天井に取り付けられる照明装置には、ランプを収容する筐体の開口にレンズが設けられ、ランプから発せられた光がレンズを介して車室に照射されるものがある。レンズは、ランプから発せられた光を拡散し、車室の広い範囲に光を照射する機能の他、照明装置の美観を高める機能を有している。
【０００３】
ランプを収容する筐体内のスペースを有効に活用するため、特許文献１および２に見られるように、容器状の小物入れが筐体内に収容された照明装置がある。特許文献１に記載されている車両用コンソール装置（照明装置）では、ハウジング体（筐体）の凹部に光源が配置されている。収納部（小物入れ）は、ハウジング体内で回転自在となっている。収納部が閉塞しているときは光源から発せられた光が小物入れの壁面をなす導光板の光取り入れ口を照射して、導光板に光を拡散させる。収納部が開放しているときは、光源から発せられた光が収納部内を照射する。特許文献２に記載されている車両用室内照明装置では、ベース（筐体）内にケース部（小物入れ）が回転自在に取り付けられている。ケース部がベースに納められた状態で、ＬＥＤが実装されたフレキシブルプリント基板がケース部の表面からベースの開口の縁に亘って取り付けられている。ケース部を回転させると共にフレキシブル基板を屈曲運動させることで、ケース部の一部がベース内から出るように構成されている。
【先行技術文献】
【特許文献】
【０００４】
【特許文献１】特開２０１６−５４０号公報
【特許文献２】特開２００８−４９８２６号公報
【発明の概要】
【発明が解決しようとする課題】
【０００５】
特許文献１に見られるように、筐体の凹部に光源が配置されている照明装置では、車室に照射される光が導光板によって弱められてしまう可能性がある。そこで、特許文献２に示されているように、小物入れの表面に光源を配置することも考えられるが、光を拡散させて広い範囲で照明装置が光るようなデザインが好まれる場合もある。
【０００６】
本発明は、車載照明装置の光源から発せられる光の減衰を抑制しつつ、意匠性を高めることを目的とする。
【課題を解決するための手段】
【０００７】
本発明は、容器形状を有する小物入れ部と、前記小物入れ部を回転自在に収容する外部ケースと、前記小物入れ部の開口に前記外部ケースが覆い被さる閉・回転位置と、前記小物入れ部が前記外部ケースから引き出され、前記小物入れ部の開口の少なくとも一部が前記外部ケースの外側に現れる開・回転位置との間を回転自在となるように、前記小物入れ部を前記外部ケース内に支持する回転機構と、前記小物入れ部に設けられた光源と、前記小物入れ部の回転位置に応じて、前記光源に供給される電力をオンオフする光源スイッチユニットと、前記小物入れ部に設けられ、前記小物入れ部が前記閉・回転位置にあるときに、前記外部ケースの開口面に板面が揃えられる導光板と、を備え、前記光源は、前記導光板の縁から光を入射する位置に設けられていることを特徴とする。
【０００８】
望ましくは、前記光源スイッチユニットは、前記小物入れ部の回転と共に、前記外部ケースの一部分によって押下または解放されるプッシュスイッチを備える。
【発明の効果】
【０００９】
本発明によれば、車載照明装置の光源から発せられる光の減衰を抑制しつつ、意匠性を高めることができる。
【図面の簡単な説明】
【００１０】
【図１】車載照明装置の斜視図である。
【図２】小物入れ部を回転させて引き出した状態を示す図である。
【図３】車載照明装置の前面を示す図である。
【図４】小物入れ部の分解斜視図である。
【図５】基板固定構造を示す図である。
【図６】外部ケースおよび小物入れ部を光源基板および光源スイッチユニット付近で破断したときの斜視図である。
【図７】図３に示されるＡＡ線における断面を示す図である。
【図８】小物入れ部が引き出されたときのＡＡ線における断面を示す図である。
【図９】小物入れ部が引き出されたときのＡＡ線における断面を示す図である。
【図１０】電源供給スイッチ回路を例示する図である。
【発明を実施するための形態】
【００１１】
各図を参照して本発明の実施形態に係る車載照明装置について説明する。本願明細書における上下左右前後の用語は、車載照明装置から車室側を見た方向を示す。また、複数の図面に示された同一の部材については同一の符号を付してその説明を簡略化する。
【００１２】
図１には、本発明の実施形態に係る車載照明装置の斜視図が示されている。図１においては、左方向がｘ軸正方向として定義されている。また、上方向がｙ軸正方向として定義され、前方向がｚ軸正方向として定義されている。
【００１３】
車載照明装置は、外部ケース１０（筐体）および小物入れ部１２を備えている。小物入れ部１２は、自らの回転軸３８を中心として回転自在となるように外部ケース１０内に収容されている。図１には小物入れ部１２が閉じた状態、すなわち、小物入れ部１２の前面が外部ケース１０の開口に位置する状態が示されている。外部ケース１０の前面には、開口を囲む意匠板１４が設けられている。小物入れ部１２が閉じた状態では、小物入れ部１２の前面を構成する導光板１６が、意匠板１４と同一面上に位置する。車載照明装置は、小物入れ部１２の前面が車室側に向けられた姿勢で、車室の天井に取り付けられてよい。
【００１４】
図２には、小物入れ部１２を回転させて引き出した状態が示されている。小物入れ部１２は、小物入れ底壁１２１と、小物入れ底壁１２１の周囲を囲む側壁１２２とを有する。小物入れ底壁１２１の外側の面には、上記の導光板１６が設けられている。小物入れ部１２が引き出された状態では、小物入れ部１２の開口と、外部ケース１０の開口が斜めに向かい合い、小物入れ部１２の内部にサングラス等の小物を収納し、小物入れ部１２の内部から小物を取り出すことが可能な状態となる。
【００１５】
図３には、車載照明装置の前面が示されている。小物入れ部１２の前面は、導光板１６およびアウターフレーム１８を備えている。導光板１６は、光を透過するプラスチック樹脂等によって形成されてよい。アウターフレーム１８は導光板１６の周囲を囲んでいる。導光板１６の左右の縁または左右の縁の近傍には、発光ダイオード２０Ｌおよび１０Ｒが設けられている。ただし、発光ダイオード２０Ｌおよび２０Ｒは、アウターフレーム１８によって覆われており、小物入れ部１２の前面には現れていない。発光ダイオード２０Ｌは、導光板１６の左側の縁から導光板１６に光を入射する。発光ダイオード２０Ｒは、導光板１６の右側の縁から導光板１６に光を入射する。
【００１６】
外部ケース１０の前面には、小物入れ部１２の前面を囲む意匠板１４が設けられている。外部ケース１０には、ドームスイッチ２２およびドア連動モードスイッチ２４が設けられている。ドームスイッチ２２およびドア連動モードスイッチ２４は、押しボタン式のスイッチであってもよいし、静電容量センサ型のタッチスイッチであってもよい。これらのスイッチの機能については後述する。
【００１７】
図４には、小物入れ部１２の分解斜視図が示されている。小物入れ部１２は、内部ケース１２０、光源基板３２Ｌ、光源基板３２Ｒ、導光板１６およびアウターフレーム１８を備えている。内部ケース１２０は、小物入れ底壁１２１と側壁１２２から構成され、略直方体状の容器形状を有している。内部ケース１２０の前面、すなわち、小物入れ底壁１２１の外側の面には導光板１６が取り付けられる。光源基板３２Ｌには発光ダイオード２０Ｌが実装され、光源基板３２Ｒには発光ダイオード２０Ｒおよび光源スイッチユニット３０が実装されている。光源スイッチユニット３０は、発光ダイオード２０Ｌおよび２０Ｒに供給される電力をオンオフするプッシュスイッチを含む。発光ダイオード２０Ｌおよび２０Ｒの両者に電力を供給し、光源スイッチユニット３０を発光ダイオード２０Ｒのみならず発光ダイオード２０Ｌに対しても用いるため、光源基板３２Ｒと光源基板３２Ｌとの間は電線３４によって接続されている。
【００１８】
なお、本実施形態では、発光ダイオード２０Ｌおよび２０Ｒの両者に対する光源スイッチユニット３０が光源基板３２Ｒに設けられている。このような構成の他、発光ダイオード２０Ｌに対する光源スイッチユニット、および発光ダイオード２０Ｒに対する光源スイッチユニットが、それぞれ、光源基板３２Ｌおよび３２Ｒに個別に設けられてもよい。また、発光ダイオード２０Ｌおよび２０Ｒの両者に対する光源スイッチユニット３０が光源基板３２Ｌに設けられてもよい。さらに、発光ダイオードおよび光源基板が、左右のいずれか一方に設けられた構成であってもよい。
【００１９】
内部ケース１２０の左右には、光源基板３２Ｌおよび３２Ｒを固定するための基板固定構造３６が形成されている。基板固定構造３６は、各光源基板を固定するための空間を有し、前方に開口している。光源基板３２Ｌは内部ケース１２０の左側の基板固定構造３６に固定され、光源基板３２Ｒは、内部ケース１２０の右側の基板固定構造３６に固定される。これによって、発光ダイオード２０Ｌは、導光板１６の左側の縁に光を入射する位置に配置され、発光ダイオード２０Ｒは導光板１６の右側の縁に光を入射する位置に配置される。
【００２０】
導光板１６の周囲にはアウターフレーム１８が取り付けられる。導光板１６の周囲の縁の近傍にはアウターフレーム１８と重ねられる重ねしろ領域があり、その重ねしろ領域にアウターフレーム１８が重ねられる。また、左右の基板固定構造３６の開口は、アウターフレーム１８によって覆われる。アウターフレーム１８の左右の縁からは回転軸３８が突出している。回転軸３８は、外部ケース１０に形成された軸受け構造４０（図１）に回転自在に取り付けられる。
【００２１】
図５には、アウターフレーム１８が取り外された状態における内部ケース１２０の右側の基板固定構造３６が示されている。光源基板３２Ｒは基板固定構造３６が形成する空間に収容され、前後および上下方向に広がっている。光源基板３２Ｒは、基板固定構造３６に形成された突起部３６１によって支持されている。光源基板３２Ｒの左側の表面には、発光ダイオード２０Ｒが固定されている。光源基板３２Ｒの右側の表面には光源スイッチユニット３０が固定されている。
【００２２】
図６には、外部ケース１０および小物入れ部１２を光源基板３２Ｒおよび光源スイッチユニット３０付近で破断したときの斜視図が示されている。また、図７には、図３に示されるＡＡ線における断面が示されている。図８および図９は、小物入れ部１２が引き出されたときのＡＡ線における断面が示されている。図６に示されているように、アウターフレーム１８の右側には右方向に突出した回転軸３８が形成されている。光源基板３２Ｒは、小物入れ底壁１２１よりも後方に位置し、前後および上下方向に広がっている。光源基板３２Ｒの右側の表面には光源スイッチユニット３０が固定されている。光源スイッチユニット３０は、本体部３０１とレバー３０２を備えている。レバー３０２は、本体部３０１から後方斜め下に延びて、外部ケース１０において後方に立設した壁６０の縁から上方向に突出する突出部６２の表面に滑り自在に接触している。レバー３０２は、本体部３０１との接合部分を支点として揺動自在である。レバー３０２が本体部３０１に接近することで、本体部３０１に設けられたプッシュスイッチ３０３が押下され、レバー３０２が本体部３０１から遠ざかることで、プッシュスイッチ３０３が開放される。プッシュスイッチ３０３には、押下状態でオンとなり解放状態でオフとなるものが用いられる。なお、各発光ダイオードに電力を供給する電子回路の構成によっては、押下状態でオフとなり解放状態でオンとなるプッシュスイッチが用いられてもよい。
【００２３】
図７には、小物入れ部１２が外部ケース１０に収容された状態が示されている。この状態ではレバー３０２が突出部６２によって押下され、レバー３０２が本体部３０１に接近して、プッシュスイッチ３０３がレバー３０２によって押下される。図８には、小物入れ部１２が回転し、外部ケース１０から引き出される途中の状態が示されている。図９には、小物入れ部１２が外部ケース１０から引き出された状態が示されている。図８および図９には、小物入れ部１２が回転する中心が、十字状に交差した一点鎖線の交点によって示されている。これらの図に示されているように、小物入れ部１２が外部ケース１０から引き出されることで、レバー３０２が突出部６２から離れ、レバー３０２が本体部３０１から遠ざかって、プッシュスイッチ３０３が解放される。
【００２４】
このように、車載照明装置では、小物入れ部１２を回転させることで、光源スイッチユニット３０の本体部３０１と外部ケース１０の突出部６２との間の距離および相対的な姿勢（一方から他方を見た姿勢）が変化してレバー３０２が揺動する。これによって、プッシュスイッチ３０３が解放状態から押下状態となり、または、押下状態から解放状態となる。
【００２５】
本実施形態においては、プッシュスイッチ３０３が押下されたときにプッシュスイッチ３０３がオンになる。小物入れ部１２が外部ケース１０に収容され、光源スイッチユニット３０がオンであるときに、発光ダイオード２０Ｌおよび２０Ｒに電力が供給され得る。小物入れ部１２が外部ケース１０から引き出され、光源スイッチユニット３０がオフであるときに、発光ダイオード２０Ｌおよび２０Ｒに電力が供給されない状態となる。
【００２６】
なお、光源スイッチユニット３０の本体部３０１には、プッシュスイッチ３０３の代わりに、小物入れ部１２の状態を検出するその他のセンサ、およびセンサに応じてオンオフするスイッチが用いられてもよい。このようなセンサとしては磁気センサがある。この場合、外部ケース１０に永久磁石が取り付けられる。小物入れ部１２が回転することで磁気センサと永久磁石との間の距離が変化し、センサは、その距離に応じてスイッチをオンオフする。
【００２７】
このように、本実施形態に係る車載照明装置は、容器形状を有する小物入れ部１２と、小物入れ部１２を回転自在に収容する外部ケース１０と、小物入れ部１２を外部ケース１０内に支持する回転機構とを備えている。回転機構は、小物入れ部１２におけるアウターフレーム１８から突出した回転軸３８と、外部ケース１０に形成された軸受け構造４０から構成される。回転機構は、閉・回転位置と開・回転位置との間を回転自在となるように、小物入れ部１２を外部ケース１０内に支持する。閉・回転位置は、小物入れ部１２の開口に外部ケース１０が覆い被さる回転位置であり、開・回転位置は、小物入れ部１２が外部ケース１０から引き出され、小物入れ部１２の開口の少なくとも一部が外部ケース１０の外側に現れる回転位置である。
【００２８】
本実施形態に係る車載照明装置は、さらに、小物入れ部１２に設けられた光源としての発光ダイオード２０Ｌおよび２０Ｒと、小物入れ部１２の回転位置に応じて、発光ダイオード２０Ｌおよび２０Ｒに供給される電力をオンオフする光源スイッチユニット３０と、小物入れ部１２に設けられ、小物入れ部１２が閉・回転位置にあるときに、外部ケース１０の開口面に板面が揃えられる導光板１６とを備えている。発光ダイオード２０Ｌおよび２０Ｒは、導光板１６の縁から光を入射する位置に設けられている。
【００２９】
また、光源スイッチユニット３０は、小物入れ部１２の回転と共に、外部ケース１０の一部分、すなわち、外部ケース１０に形成された壁６０における突出部６２によって押下または解放されるプッシュスイッチ３０３を備えている。
【００３０】
図３に戻って車載照明装置の発光動作について説明する。発光ダイオード２０Ｌおよび２０Ｒに電力が供給されているときは、発光ダイオード２０Ｌおよび２０Ｒは、導光板１６の左右の縁から導光板１６に光を入射する。導光板１６に入射した光は、導光板１６において拡散され、導光板１６の広い範囲に広がる。また、導光板１６で拡散された光は車室内の広い範囲を明るく照らす。
【００３１】
発光ダイオード２０Ｌおよび２０Ｒが直接的に導光板１６の縁に光を入射し、その光が導光板１６で拡散されるため、発光ダイオード２０Ｌおよび２０Ｒから発せられる光の減衰が抑制される。また、導光板１６にダイヤカット等の凹凸を設けたり、シボ加工を施したりすることで、車載照明装置の意匠性が高まる。
【００３２】
上述のように、外部ケース１０にはドームスイッチ２２およびドア連動モードスイッチ２４が設けられている。ドームスイッチ２２がオンであるときは、ドア連動モードスイッチ２４の状態に関わらず、小物入れ部１２の状態に応じて発光ダイオード２０Ｌおよび２０Ｒに電力が供給される。すなわち、ドームスイッチ２２がオンであるときは、ドア連動モードスイッチ２４の状態に関わらず、小物入れ部１２が外部ケース１０に収容されて光源スイッチユニット３０がオンになった状態で、発光ダイオード２０Ｌおよび２０Ｒが点灯する。そして、小物入れ部１２が外部ケース１０から引き出され光源スイッチユニット３０がオフになることで、発光ダイオード２０Ｌおよび２０Ｒが消灯する。
【００３３】
ドームスイッチ２２がオフであるときは、原則、光源スイッチユニット３０の動作に関わらず、発光ダイオード２０Ｌおよび２０Ｒには電力が供給されない。すなわち、ドームスイッチ２２がオフであるときは、原則、小物入れ部１２の状態に関わらず、発光ダイオード２０Ｌおよび２０Ｒは点灯しない。ただし、ドア連動モードスイッチ２４がオンであるときにドアが開けられ、かつ、光源スイッチユニット３０がオンであるときは、ドームスイッチ２２がオフであっても発光ダイオード２０Ｌおよび２０Ｒに電力が供給される。すなわち、ドア連動モードスイッチ２４がオンであるときには、ドームスイッチ２２がオフであっても、小物入れ部１２が外部ケース１０に収容されている状態でドアが開けられることで、発光ダイオード２０Ｌおよび２０Ｒが点灯する。そして、ドア連動モードスイッチ２４がオフであるときは、原則通りの動作となる。
【００３４】
図１０には、このようなスイッチ動作を実現する電源供給スイッチ回路が例示されている。電源供給スイッチ回路は、直流電源７０、ドームスイッチ２２、ドア連動モードスイッチ２４、ドアスイッチ７２、光源スイッチユニット３０および出力端子７４を備えている。出力端子７４からは発光ダイオード２０Ｌおよび２０Ｒに電力が供給される。
【００３５】
直流電源７０の正極端子と出力端子７４との間には、ドームスイッチ２２および光源スイッチユニット３０が直列に接続されている。また、ドア連動モードスイッチ２４とドアスイッチ７２が直列接続され、ドア連動モードスイッチ２４とドアスイッチ７２を直列接続した部分が、ドームスイッチ２２に並列接続されている。
【００３６】
ドアスイッチ７２は、搭載先の自動車のドアの開閉に応じてオンオフするスイッチである。ドアスイッチ７２は、ドアが開けられたときにオンとなり、ドアが閉められたときにオフとなる。ドアスイッチ７２は、ドア連動モードスイッチ２４および光源スイッチユニット３０を介して発光ダイオード２０Ｌおよび２０Ｒに供給される電力を、搭載先の自動車のドアの開閉に応じてオンオフする。
【００３７】
ドームスイッチ２２は、光源スイッチユニット３０を介して発光ダイオード２０Ｌおよび２０Ｒに供給される電力をオンオフする。ドームスイッチ２２がオンであるときは、ドア連動モードスイッチ２４およびドアスイッチ７２のオンオフに関わらず、光源スイッチユニット３０が、発光ダイオード２０Ｌおよび２０Ｒに供給される電力をオンオフする。ドア連動モードスイッチ２４は、ドアスイッチ７２に直列に接続されているため、オンであるときにドアスイッチ７２のオンオフ動作を有効とし、オフであるときにドアスイッチ７２のオンオフ動作を無効とする。
【符号の説明】
【００３８】
１０  外部ケース、１２  小物入れ部、１２０  内部ケース、１２１  小物入れ底壁、１２２  側壁、１４  意匠板、１６  導光板、１８  アウターフレーム、２０Ｌ，２０Ｒ  発光ダイオード、２２  ドームスイッチ、２４  ドア連動モードスイッチ、３０  光源スイッチユニット、３０１  本体部、３０２  レバー、３０３  プッシュスイッチ、３２Ｌ，３０Ｒ  光源基板、３４  電線、３６  基板固定構造、３８  回転軸（回転機構）、４０  軸受け構造（回転機構）、６０  壁、６２  突出部。
【図１】
2020093648.tif 000003
【図２】
2020093648.tif 000004
【図３】
2020093648.tif 000005
【図４】
2020093648.tif 000006
【図５】
2020093648.tif 000007
【図６】
2020093648.tif 000008
【図７】
2020093648.tif 000009
【図８】
2020093648.tif 000010
【図９】
2020093648.tif 000011
【図１０】
2020093648.tif 000012